(57)【特許請求の範囲】
【請求項１】
入力画像について第１の表色系に対応する第１の色信号を第２の表色系に対応する第２の色信号に変換すると共に、前記入力画像を出力するための画像出力部の複数の出力形式の各々に対応した変換関係の複数の３次元ルックアップテーブルと、
入力画像の地肌濃度を前記入力画像の第１の色信号から検出する検出手段と、検出された地肌濃度と、前記画像出力部の複数の出力形式のうち予め定めた出力形式と、に基づいて設定され、前記入力画像の地肌レベルを補正する地肌補正用ルックアップテーブルと、
前記予め定めた出力形式と異なる出力形式に対応し、かつ前記予め定めた出力形式による地肌レベル補正された入力画像を前記異なる出力形式による地肌レベル補正された入力画像に補正するための明度補正ルックアップテーブルを備え、前記画像出力部の出力形式が前記異なる出力形式に設定されている場合には、検出された地肌濃度に基づいて前記明度補正ルックアップテーブルを設定し、前記第１の色信号の少なくとも１部を、前記明度補正ルックアップテーブルにより補正し、該補正された第１の色信号に対応する前記第２の色信号を、前記異なる出力形式に対応する前記３次元ルックアップテーブルから求め、該求めた第２の色信号が補正前の第１の色信号に対応するように、前記異なる出力形式に対応する３次元ルックアップテーブルを変更する変更手段と、
を備えた画像処理装置。
【請求項２】
入力画像について第１の表色系に対応する第１の色信号を第２の表色系に対応する第２の色信号に変換すると共に、前記入力画像を出力するための画像出力部の複数の出力形式の各々に対応した変換関係の複数の３次元ルックアップテーブルと、前記画像出力部の複数の出力形式のうち予め定めた出力形式に基づいて設定され、前記入力画像の地肌レベルを補正する地肌補正用ルックアップテーブルと、を備えた画像処理装置において、
前記予め定めた出力形式と異なる出力形式に対応し、かつ前記予め定めた出力形式による地肌レベル補正された入力画像を前記異なる出力形式による地肌レベル補正された入力画像に補正するための明度補正ルックアップテーブルにより前記第１の色信号の少なくとも１部を補正し、該補正された第１の色信号に対応する前記第２の色信号を、前記異なる出力形式に対応する前記３次元ルックアップテーブルから求め、該求めた第２の色信号が補正前の第１の色信号に対応するように、前記異なる出力形式に対応する３次元ルックアップテーブルを変更する変更手段により、前記異なる出力形式に対応する３次元ルックアップテーブルが予め変更されたことを特徴とする画像処理装置。
【請求項３】
前記出力形式は、前記画像出力部のスクリーンパターン及び中間調処理方式の少なくとも１つを含むことを特徴とする請求項１又は２記載の画像処理装置。
【発明の詳細な説明】
【０００１】
【発明の属する技術分野】
本発明は、画像処理装置に係り、より詳しくは、読み取った原稿の地肌濃度を検出して除去することが可能な画像処理装置に関する。
【０００２】
【従来の技術】
複写機やＦＡＸ等の画像処理装置では、読み取った画像をそのまま出力した場合、例えば原稿の地肌濃度の影響等により最適な出力が得られない場合がある。このような場合、地肌濃度の影響を受けずに最適な出力が得られるようにするために、用紙の地肌濃度を検出し、画像処理により地肌を除去して出力するものがある。
【０００３】
画像処理を行う場合には、例えば画像入力信号であるＲＧＢ信号を３次元ＬＵＴ（ルックアップテーブル）により装置に依存しないＬ*ａ*ｂ*信号に変換し、このＬ*ａ*ｂ*信号に対して画像処理を施し、３次元ＬＵＴによりＹＭＣＫ信号に変換して画像出力部へ出力する。
【０００４】
画像出力部では、読み取った画像を設定された出力形式、例えばスクリーンパターン（スクリーン線数）や中間調処理モード（２値モード、多値モード）で出力（プリント）するが、この出力形式を変更した場合には、同じ画像でも階調再現性、特にハイライト部の階調再現性が異なる場合がある。例えば、濃度の低いハーフトーンの画像を２値モード又は多値モードで出力する場合でも、多値モードに合せて再現開始点（地肌を除去するための閾値）を低くした場合、２値モードで出力した場合には、画素が目立ちやすくなってしまう。
【０００５】
この階調再現性のずれを吸収するためには、ＹＭＣＫ信号に対して階調補正を施したり、特開平１０−２００７７１号公報に記載されているように、３次元ＬＵＴのＹＭＣＫの値を変更することが考えられる。
【０００６】
【発明が解決しようとする課題】
しかしながら、上記従来技術では、ＹＭＣＫの値を直接変更することとなるため、カラーバランス（色相）が崩れてしまう場合がある、という問題があった。
【０００７】
本発明は上記事実を鑑みて成されたものであり、スクリーンパターンや出力形式を変更した場合でもカラーバランスを崩すすことなく階調再現性のずれを抑えることができる画像処理装置を提供することを目的とする。
【０００８】
【課題を解決するための手段】
上記目的を達成するために、請求項１記載の発明は、入力画像について第１の表色系に対応する第１の色信号を第２の表色系に対応する第２の色信号に変換すると共に、前記入力画像を出力するための画像出力部の各々に対応した変換関係の複数の３次元ルックアップテーブルと、入力画像の地肌濃度を前記入力画像の第１の色信号から検出する検出手段と、検出された地肌濃度と、前記画像出力部の複数の出力形式のうち予め定めた出力形式と、に基づいて設定され、前記入力画像の地肌レベルを補正する地肌補正用ルックアップテーブルと、前記予め定めた出力形式と異なる出力形式に対応し、かつ前記予め定めた出力形式による地肌レベル補正された入力画像を前記異なる出力形式による地肌レベル補正された入力画像に補正するための明度補正ルックアップテーブルを備え、検出された地肌濃度に基づいて前記明度補正ルックアップテーブルを設定し、前記第１の色信号の少なくとも１部を、前記明度補正ルックアップテーブルにより補正し、該補正された第１の色信号に対応する前記第２の色信号を、前記異なる出力形式に対応する前記３次元ルックアップテーブルから求め、該求めた第２の色信号が補正前の第１の色信号に対応するように、前記異なる出力形式に対応する３次元ルックアップテーブルを変更する変更手段と、を備えたことを特徴とする。
【０００９】
３次元ルックアップテーブルは、例えばスキャナ等の画像入力部により入力された入力画像について第１の表色系に対応する第１の色信号、例えばＬ*ａ*ｂ*信号を、第２の表色系に対応する第２の色信号、例えばＹＭＣＫ信号に変換する。この３次元ルックアップテーブルは複数設けられ、これらは、入力画像を出力するための画像出力部の複数の出力形式の各々に対応した変換関係の３次元ルックアップテーブルである。
【００１０】
出力形式は、例えば請求項３に記載したように、画像出力部のスクリーンパターン（スクリーン線数等）及び中間調処理方式（２値又は多値等）の少なくとも１つを含む。
【００１１】
すなわち、３次元ルックアップテーブルは、画像出力部の出力形式に応じて複数設けられる。
【００１２】
検出手段は、入力画像の地肌濃度を入力画像の第１の色信号から検出する。地肌補正ルックアップテーブルは、検出手段により検出された地肌濃度と、画像出力部の複数の出力形式のうち予め定めた出力形式と、に基づいて設定される。この地肌補正ルックアップテーブルにより、入力画像の地肌レベルが補正される。
【００１３】
変更手段は、予め定めた出力形式と異なる出力形式に対応し、かつ予め定めた出力形式による地肌レベル補正された入力画像を前記異なる出力形式による地肌レベル補正された入力画像に補正するための明度補正ルックアップテーブルを備えている。地肌補正ルックアップテーブルは、複数の出力形式のうち予め定めた出力形式に対応しているため、画像出力部の出力形式が予め定めた出力形式と異なる出力形式に変更された場合には、そのままでは階調再現性等が崩れてしまう。このため、明度補正ルックアップテーブルにより、予め定めた出力形式による地肌レベル補正された入力画像を、変更された出力形式による地肌レベル補正された入力画像に補正できるようにする。
【００１４】
この明度補正ルックアップテーブルは、検出された地肌濃度に基づいて設定される。また、明度補正ルックアップテーブルでは、明度のみを補正するため、カラーバランスが崩れることはない。
【００１５】
そして、変更手段は、画像出力部の出力形式が予め定めた出力形式と異なる出力形式に設定されている場合には、第１の色信号を、明度補正ルックアップテーブルにより補正し、該補正された第１の色信号に対応する第２の色信号を、前記異なる出力形式に対応する前記３次元ルックアップテーブルから求める。そして、求めた第２の色信号が補正前の第１の色信号に対応するように、前記異なる出力形式に対応する３次元ルックアップテーブルを変更する。
【００１６】
このように、地肌補正用ルックアップテーブルが予め定めた出力形式用に設定されている場合でも、予め定めた出力形式と異なる出力形式に対応した３次元ルックアップテーブルを変更するため、出力形式を変更した場合でも階調再現性のずれを抑えることができる。また、明度のみを補正するため、カラーバランスをくずすことなく階調再現性のずれを抑えることができる。
【００１７】
請求項２記載の発明は、入力画像について第１の表色系に対応する第１の色信号を第２の表色系に対応する第２の色信号に変換すると共に、前記入力画像を出力するための画像出力部の複数の出力形式の各々に対応した変換関係の複数の３次元ルックアップテーブルと、前記画像出力部の複数の出力形式のうち予め定めた出力形式に基づいて設定され、前記入力画像の地肌レベルを補正する地肌補正用ルックアップテーブルと、を備えた画像処理装置において、前記予め定めた出力形式と異なる出力形式に対応し、かつ前記予め定めた出力形式による地肌レベル補正された入力画像を前記異なる出力形式による地肌レベル補正された入力画像に補正するための明度補正ルックアップテーブルにより前記第１の色信号の少なくとも１部を補正し、該補正された第１の色信号に対応する前記第２の色信号を、前記異なる出力形式に対応する前記３次元ルックアップテーブルから求め、該求めた第２の色信号が補正前の第１の色信号に対応するように、前記異なる出力形式に対応する３次元ルックアップテーブルを変更する変更手段により、前記異なる出力形式に対応する３次元ルックアップテーブルが予め変更されたことを特徴とする。
【００１８】
この発明によれば、異なる出力形式に対応する３次元ルックアップテーブルが変更手段により予め変更されている、すなわち補正されているため、迅速に処理することができると共に、装置を簡略化することができる。
【００１９】
【発明の実施の形態】
（第１実施形態）
以下、本発明の第１実施形態について説明する。図１には、本実施形態に係る画像処理装置１０の概略ブロック図を示した。
【００２０】
図１に示すように、画像処理装置１０は、画像入力部１２、画像処理部１４、及び画像出力部１６で構成されている。
【００２１】
画像入力部１２は、ＣＣＤ（チャージ・カップルド・デバイス）センサ１８、Ａ／Ｄ変換器２０、及び補正部２２で構成されている。
【００２２】
ＣＣＤセンサ１８は、原稿を光学的に読み取るものであり、読み取られた画像は例えばＲ，Ｇ，Ｂ各８ビットの色信号に分解されて出力される。Ａ／Ｄ変換器２０は、ＣＣＤセンサ１８によって読み取られた画像のＲＧＢ信号をデジタル信号に変換する。補正部２２は、画像データにシェーディング補正等の補正を施す。
【００２３】
画像処理部１４は、色空間変換部２４、拡大縮小部２６、フィルタ２８、ＩＮＬＵＴ３０、色空間変換部３２、階調補正部３４、地肌濃度検出部３６、及び明度補正部３８で構成されている。
【００２４】
色空間変換部２４は、画像入力部１２から出力されたＲＧＢ信号を第１の表色系に対応する色信号であり、装置に依存しない例えば各８ビットのＬ*ａ*ｂ*信号に変換する。この変換は、例えば３次元ＬＵＴにより行われる。
【００２５】
拡大縮小部２６は、設定された拡大率又は縮小率に従って画像データを拡大又は縮小する。
【００２６】
フィルタ２８は、画像データに対してＭＴＦ補正や鮮鋭化処理、スムージング等の画像処理を行う。
【００２７】
ＩＮＬＵＴ３０は、地肌濃度検出部３６で検出された地肌濃度に基づいて、画像データの地肌レベルを補正する。すなわち地肌を除去する。ＩＮＬＵＴ３０は、例えば図３の点線で示すような特性のルックアップテーブルにより構成される。図３に示すように、ＩＮＬＵＴ３０は、入力されるＬ*をＬ*’へ変換し、ａ*、ｂ*は例えばそのまま出力する。ＩＮＬＵＴ３０は、入力されたＬ*が検出された地肌濃度に基づいて設定された再現開始点である閾値ＴＨ１（図３では‘３２’）以下の場合には、出力のＬ*’を‘０’にする。これにより、所謂地肌部分のかぶり現象を抑えることができる。また、明度のみを補正するため、色相や彩度等のカラーバランスをくずすことなくかぶり現象を抑えることができる。
【００２８】
色空間変換部３２は、ＤＬＵＴ（ダイレクトルックアップテーブル）を含んで構成され、Ｌ*ａ*ｂ*信号を画像出力用の第２の表色系に対応する色信号であるＹＭＣＫ信号に変換する。
【００２９】
階調補正部３４は、画像出力部１６に応じた階調補正を行う。すなわち、画像出力部１６の装置特性による悪影響（グレーバランスの悪さ、階調の非線形性など）を打ち消すように階調補正を行う。
【００３０】
前述したように、スクリーンパターンや中間調処理モード（２値モード、多値モード）等の画像出力部１６における出力形式を変更した場合には、階調再現性、特にハイライト部の階調再現性が異なる場合がある。このため、各出力形式において最適な出力が得られるようにするためには、ＩＮＬＵＴ３０や色空間変換部３２に含まれるＤＬＵＴを各出力形式に対応してそれぞれ設ければよい。しかしながら、ＩＮＬＵＴ３０を出力形式に応じて別々に設けるのはコスト等の理由から好ましくなく共通にせざるを得ない場合もある。
【００３１】
本実施形態では、ＩＮＬＵＴ３０を共通とし、一例として色空間変換部３２において、２値モード用、多値モード用にそれぞれＤＬＵＴを備えた場合について説明する。
【００３２】
図２に示すように、色空間変換部３２は、多値モード用の３次元ルックアップテーブルであるＤＬＵＴ４４Ａと２値モード用の３次元ルックアップテーブルであるＤＬＵＴ４４Ｂ、及びユーザの操作等により設定された出力形式を示す出力形式データ４０に応じてＤＬＵＴ４４Ａ又はＤＬＵＴ４４Ｂに切り替えるためのセレクタ４２で構成されている。また、階調補正部３４は、多値モード用の階調補正部３４Ａ，２値モード用の階調補正部３４Ｂで構成されている。階調補正部３４Ａ、階調補正部３４Ｂは、それぞれ多値モード、２値モードに適した階調補正を行う。
【００３３】
ここでは、ＩＮＬＵＴ３０は、多値モード用に設定されている。すなわち、図３の点線で示す特性は、多値モード用の特性である。このため、出力形式が２値モードの場合には、Ｌ*ａ*ｂ*信号をＤＬＵＴ４４ＢによりそのままＹＭＣＫ信号に変換したのでは、階調再現性がくずれてしまう。そこで、明度補正部３８に基づいてＤＬＵＴ４４Ｂを再構成する。
【００３４】
明度補正部３８は、図３の点線で示すようなＩＮＬＵＴ３０と同様のＬＵＴ、及び図３の実線で示す特性の２値モードに対応した明度補正ＬＵＴ３９を含んでいる。なお、明度補正ＬＵＴ３９における再現開始点である閾値ＴＨ２は、例えば検出された地肌濃度に応じて設定される。明度補正部３８は、元のＬ*に対して補正を行うため、ＤＬＵＴ４４Ｂに入力されるＬ*’からＩＮＬＵＴ３０に入力される前のＬ*をＩＮＬＵＴ３０と同様のＬＵＴから求め、さらに明度補正ＬＵＴからＬ*に対応するＬ*”を求める。そして、求めたＬ*”、ａ*，ｂ*に対応するＹＭＣＫの値をＤＬＵＴ４４Ｂから求め、このＹＭＣＫの値でＤＬＵＴ４４Ｂを書き換える。
【００３５】
例えば、ＩＮＬＵＴ３０からの出力値が（Ｌ*’ａ*’、ｂ*’）＝（４８，１６，１６）だった場合には、図３よりＩＮＬＵＴ３０を通る前のＬ*は、‘６０’である。そして、Ｌ*が‘６０’のときのＬ*”は明度補正ＬＵＴより‘３２’となる。従って、（Ｌ*”、ａ*’、ｂ*’）＝（３２，１６，１６）に対応するＹＭＣＫの値をＤＬＵＴ４４Ｂから求め、この求めたＹＭＣＫの値でＤＬＵＴ４４Ｂを書き換える。これにより、ＩＮＬＵＴ３０からの出力値が（Ｌ*’ａ*’、ｂ*’）＝（４８，１６，１６）だった場合には、（Ｌ*”、ａ*’、ｂ*’）＝（３２，１６，１６）に対応するＹＭＣＫの値が階調補正部３４Ｂへ出力される。そして、階調補正部３４Ｂで２値モードに適した階調補正が施された後、画像出力部１６へ出力される。
【００３６】
このように、ＩＮＬＵＴ３０は多値モード用に設定されていても、２値モード用のＤＬＵＴ４４Ｂを、明度補正部３８により２値モードに適したテーブルに書き換えるため、ＩＮＬＵＴ３０を共用することができると共に、多値モード、２値モードを切り替えた場合でも最適な出力とすることができる。
【００３７】
なお、ＩＮＬＵＴ３０が２値モード用に設定されている場合には、多値モード用のＤＬＵＴ４４Ｂを明度補正部３８により多値モードに適したテーブルに書き換えるようにすればよい。
【００３８】
次に、本実施形態の作用として、画像処理部１４の動作について図４に示すフローチャートを参照して説明する。ここでは、出力形式として２値モードが選択されている場合について説明する。
【００３９】
ステップ１００では、色空間変換部２４において、色空間変換処理が行われる。すなわち、画像入力部１２から出力されたＲＧＢ信号を第１の表色系に対応する色信号であり、装置に依存しない例えば各８ビットのＬ*ａ*ｂ*信号に変換する。
【００４０】
次のステップ１０２では、拡大縮小部２６において、拡大縮小処理が行われる。すなわち、ユーザの操作等により設定された拡大率又は縮小率に従って画像データを拡大又は縮小する。
【００４１】
次のステップ１０４では、フィルタ２８において、フィルタ処理が行われる。すなわち、画像データに対してＭＴＦ補正や鮮鋭化処理、スムージング等の画像処理が行われる。
【００４２】
次のステップ１０６では、ＩＮＬＵＴ３０により地肌補正処理が行われる。すなわち、地肌濃度検出部３６で検出された地肌濃度に基づいて、画像データの地肌レベルが補正される。具体的には、図３の点線で示す特性となるように、入力されたＬ*をＬ*’へ変換し、ａ*、ｂ*は例えばそのまま出力する。これにより、所謂地肌部分のかぶり現象を抑えることができる。また、明度のみを補正するため、色相や彩度等のカラーバランスを崩すことなくかぶり現象を抑えることができる。
【００４３】
次のステップ１０８では、明度補正部３８によりＤＬＵＴ４４Ｂのテーブルデータの書き換えを行う。すなわち、図３の点線で示すＩＮＬＵＴ３０の特性を示すルックアップテーブルにより、ＤＬＵＴ４４Ｂに入力されるＬ*’からＩＮＬＵＴ３０に入力される前のＬ*を求め、このＬ*に対応するＬ*”を図３の実線で示す特性を示す明度補正ＬＵＴから求める。そして、求めたＬ*”、ａ*’、ｂ*’に対応するＹＭＣＫの値をＤＬＵＴ４４Ｂから求め、このＹＭＣＫの値でＤＬＵＴ４４Ｂを書き換える。なお、このテーブルデータの書き換えは、全てのＬ*、ａ*、ｂ*について行ってもよいが、予め定めた範囲のＬ*、ａ*、ｂ*についてのみ行うようにしてもよい。
【００４４】
次のステップ１１０では、色空間変換部３２により色空間変換処理が行われる。ここで、出力形式データ４０は、２値モードであることを示しているため、セレクタ４２はＤＬＵＴ４４Ｂを選択している。このため、ＩＮＬＵＴ３０から出力されたデータはＤＬＵＴ４４Ｂへ入力される。ＤＬＵＴ４４Ｂでは、明度補正部３８によって書き換えられたテーブルで入力データをＹＭＣＫの値に変換して階調補正部３４Ｂへ出力する。このように、ＩＮＬＵＴ３０によるハイライトカットに加えて、２値モードに適した明度補正が行われる。
【００４５】
次のステップ１１２では、階調補正部３４Ｂにより２値モードに適した階調補正が行われ、画像出力部へ画像データが出力される。
【００４６】
このように、ＩＮＬＵＴ３０は多値モード用に設定されていても、２値モード用のＤＬＵＴ４４Ｂを、明度補正部３８により２値モードに適したテーブルに書き換えるため、ＩＮＬＵＴ３０を共用することができると共に、多値モード、２値モードを切り替えた場合でも最適な出力とすることができる。
【００４７】
なお、ステップ１０８の処理、すなわちＤＬＵＴ４４Ｂのテーブルデータの書き換えを予め行っておき、最初から補正済みのＤＬＵＴ４４Ｂにより色変換を行うようにしてもよい。これにより、迅速に処理することができると共に、明度補正部３８を省略することができ、装置を簡略化することができる。
【００４８】
（第２実施形態）
次に、第２実施形態について説明する。第２実施形態では、ＩＮＬＵＴ３０を省略し、ＤＬＵＴ４４Ａ，４４ＢでそれぞれＩＮＬＵＴ３０による地肌補正と同等の補正を行う場合について説明する。なお、第１実施形態と同一部分には同一符号を付し、詳細な説明は省略する。
【００４９】
図５には、本実施形態に係る画像処理装置１０’の概略構成を示した。画像処理装置１０’は、ＩＮＬＵＴ３０が省略されており、図６に示すように、ＤＬＵＴ４４Ａは明度補正部３８Ａによりテーブルデータが書き換えられ、ＤＬＵＴ４４Ｂは明度補正部３８Ｂによりテーブルデータが書き換えられる。明度補正部３８Ａは、例えば図７に示すような多値モードに適した特性の明度補正ルックアップテーブル３９Ａを含んでいる。このルックアップテーブルは、図７に示したように、入力されたＬ*が地肌濃度検出部３６により検出された地肌濃度に基づいて設定された閾値ＴＨ以下の場合には、出力のＬ*’を‘０’にするような特性のテーブルである。これにより、所謂地肌部分のかぶり現象を抑えることができる。明度補正部３８Ｂは、明度補正部３８Ａと同様に、２値モードに適した特性の明度補正ルックアップテーブル３９Ｂを含んでいる。
【００５０】
明度補正部３８Ａは、図７に示すような特性の明度補正ルックアップテーブル３９Ａから、ＤＬＵＴ４４Ａに入力されるＬ*に対応する出力Ｌ*’を求める。そして、求めたＬ*’、ａ*，ｂ*に対応するＹＭＣＫの値をＤＬＵＴ４４Ａから求め、この求めたＹＭＣＫの値でＤＬＵＴ４４Ａを書き換える。
【００５１】
例えば、入力値が（Ｌ*、ａ*、ｂ*）＝（４８，１６，１６）だった場合には、図７よりＬ*’は‘２６’である。そして、（Ｌ*’、ａ*、ｂ*）＝（２６，１６，１６）に対応するＹＭＣＫの値をＤＬＵＴ４４Ａから求め、この求めたＹＭＣＫの値でＤＬＵＴ４４Ａを書き換える。これにより、入力値が（Ｌ*、ａ*、ｂ*）＝（４８，１６，１６）だった場合には、（Ｌ*’、ａ*、ｂ*）＝（２６，１６，１６）に対応するＹＭＣＫの値が階調補正部３４Ｂへ出力される。そして、階調補正部３４Ｂで２値モードに適した階調補正が施された後、画像出力部１６へ出力される。
【００５２】
このように、第１実施形態で説明したＩＮＬＵＴによる地肌補正と同等の補正をＤＬＵＴ４４Ａにより行うことができる。なお、明度補正部３８Ｂについても同様である。
【００５３】
【発明の効果】
以上説明したように、本発明によれば、地肌補正用ルックアップテーブルが予め定めた出力形式用に設定されている場合でも、予め定めた出力形式と異なる出力形式に対応した３次元ルックアップテーブルを変更するため、出力形式を変更した場合でも階調再現性のずれを抑えることができる、という効果を有する。
【図面の簡単な説明】
【図１】  第１実施形態に係る画像処理装置の概略構成を示す概略ブロック図である。
【図２】  第１実施形態に係る色空間変換部の概略構成を示す概略ブロック図である。
【図３】  明度補正部のルックアップテーブルの入出力特性を示す線図である。
【図４】  画像処理部の処理の流れを示すフローチャートである。
【図５】  第２実施形態に係る画像処理装置の概略構成を示す概略ブロック図である。
【図６】  第２実施形態に係る色空間変換部の概略構成を示す概略ブロック図である。
【図７】  明度補正部のルックアップテーブルの入出力特性を示す線図である。
【符号の説明】
１０  画像処理装置
１２  画像入力部
１４  画像処理部
１６  画像出力部
２０  Ａ／Ｄ変換器
２２  補正部
２４  色空間変換部
２６  拡大縮小部
２８  フィルタ
３０  ＩＮＬＵＴ（地肌補正用ルックアップテーブル）
３２  画像処理部
３２  階調補正部
３２  色空間変換部
３４  階調補正部
３６  地肌濃度検出部（検出手段）
３８  明度補正部（変更手段）
３９  明度補正ルックアップテーブル
４０  出力形式データ
４２  セレクタ（３次元ルックアップテーブル）
４４Ａ，４４Ｂ    ＤＬＵＴ（３次元ルックアップテーブル）
【図１】
0003888119.tif 000002
【図２】
0003888119.tif 000003
【図３】
0003888119.tif 000004
【図４】
0003888119.tif 000005
【図５】
0003888119.tif 000006
【図６】
0003888119.tif 000007
【図７】
0003888119.tif 000008